(57)【要約】      （修正有）【課題】収納箱の出し入れが容易な収納箱構造体を提供する。【解決手段】収納箱４０は、収納箱構造体ベース１０の四隅に組立孔１１を設置し、収納箱構造体ベースの組立孔内側両端にトラック１２を形成し、トラックは内向けに、二個の位置制限トラック１３を形成する。前停止部１３１の外端には、二個の助滑輪１４を枢設すると共に、二助滑輪間に、支承滑輪１５を枢設する。横板２０は、収納箱構造体ベースの組立孔に挿入され、蓋板３０は接合孔３１を開設し、蓋板３０は、接合孔により、横板に設置される。収納箱は、底面両辺縁にローラー４２を設置し、輪座４１の内端に、ブロック４３を凸設する。収納箱は収納箱構造体ベースに滑設され、ローラー４２がトラックに滑設され、ブロック４３が位置制限トラック１２中に容設される。【選択図】図２
0003161148.tif 000002
【実用新案登録請求の範囲】
【請求項１】
収納箱構造体ベース、横板、蓋板、及び収納箱からなる収納箱構造体であって、
前記収納箱構造体ベースは、四隅に組立孔を有し、前記収納箱構造体ベースの前記組立孔の内側両端に、トラックを形成し、前記トラックの内側に、二個の位置制限トラックを形成し、前記トラックは、前後部に、それぞれ、前斜面と後斜面を斜めに設置し、前記位置制限トラックは、前後端で、前停止部と後停止部を形成し、前記前停止部外端は、二個の助滑輪を枢設すると共に、前記収納箱構造体ベース中央と前記二個の助滑輪間に、支承滑輪を枢設し、
前記横板は、上下縁の両端に、それぞれ、上連接柱と下連接部を設置し、前記下連接部を前記収納箱構造体ベースの前記組立孔に挿入し、
前記蓋板は、底面四隅に、接合孔を開設し、且つ、前記蓋板が前記収納箱構造体ベースの上端に設置され、前記接合孔により、前記横板の前記上連接柱に設置され、
前記収納箱は、底面両辺縁に、輪座を設置し、前記輪座はローラーを設置し、前記二輪座の内端に、ブロックを凸設し、前記収納箱は、前記収納箱構造体ベース、前記二横板と前記蓋板で形成されるフレーム中に滑設され、前記ローラーが前記トラックに滑設され、前記ブロックは前記位置制限トラック内に容設されてなり、これにより、前記収納箱の引き出しが更に円滑になり、実用性を増加させることを特徴とする収納箱構造体。
【請求項２】
前記助滑輪、前記支承滑輪、及び前記ローラーは、内部にボールベアリングを設置し、これにより、抵抗を減少させることを特徴とする請求項１に記載の収納箱構造体。  
【請求項３】
前記収納箱構造体ベースの前記組立孔底部に、固定孔を凹設することを特徴とする請求項１に記載の収納箱構造体。
【請求項４】
前記固定孔に、固定部を挿設し、前記固定部により前記収納箱構造体ベースの支脚を形成することを特徴とする請求項３に記載の収納箱構造体。  
【請求項５】
前記横板の前記上連接柱は、前記収納箱構造体ベースの前記固定孔に結合されて、前記横板の両端に、前記収納箱構造体ベースが設置され、別の横板、収納箱と蓋板の組み合わせにより、複数の収納箱の積層形態が形成されることを特徴とする請求項３に記載の収納箱構造体。
【考案の詳細な説明】
【技術分野】
【０００１】
本考案は、収納箱構造体に関するものであって、さらに詳しくは、収納箱底部と収納箱構造体ベースの構造の改良により、収納箱の取り出しを更に円滑にし、実用性を高めた収納箱構造体に関するものである。
【背景技術】
【０００２】
公知の収納箱構造体は、主に、方形のフレーム体からなり、方形フレーム体の内部に収納空間を形成し、収納空間に、収納箱を滑設している。収納箱の底部には滑棒を凸設し、方形フレーム体の収納空間内側の底面に、滑棒に適合するトラックを形成してあるので、収納箱は、滑棒がトラック上で滑動し、これにより、引き出して使用する収納箱が形成される。
【０００３】
しかし、このような公知の収納箱構造体は、以下のような欠点がある。
すなわち、収納箱は、滑動方式で移動し、水平状態で移動するトラック部分は、滑動時の抵抗力が大きすぎて、収納箱が取り出しにくくなる傾向にある。また、過度に引っ張ると、収納箱が方形フレーム体から脱落する可能性がある。更に、収納箱内に重い物品を収容する時、収納箱底部が下垂して、収納箱底部が方形フレーム体底部に接触し、摩擦力が増大して、収納箱が取り出しにくくなるという問題点がある。
【考案の開示】
【考案が解決しようとする課題】
【０００４】
従って、本考案の課題は、収納箱の取り出しを更に円滑にし、実用性を増加させることが可能な収納箱構造体を提供することにある。
【課題を解決するための手段】
【０００５】
そこで、本考案者は、前記課題を解決するため鋭意検討を重ねた結果、収納箱底部と収納箱構造体ベースの構造を改良することにより前記課題を解決できることに着目し、かかる知見に基づいて本考案に想到した。
すなわち、本考案の収納箱構造体は、収納箱構造体ベース（以下、「構造体ベース」ということがある。）の四隅に組立孔を設置し、構造体ベースの組立孔の内側両端にトラックを形成し、トラックの内側に、二個の位置制限トラックを形成する。前停止部の外端は、二個の助滑輪を枢設すると共に、二個の助滑輪間に、支承滑輪を枢設する。二横板は、構造体ベースの組立孔に挿入され、蓋板には接合孔を開設し、蓋板は、接合孔により、横板に設置される。収納箱は、底面両辺縁にローラーを設置し、二輪座の内端に、ブロックを凸設する。収納箱は構造体ベースに滑設され、ローラーがトラックに滑設され、ブロックが位置制限トラック内に容設されるように構成してなるものである。
【０００６】
かくして、本考案によれば、
請求項１において、
収納箱構造体ベース、横板、蓋板、及び収納箱からなる収納箱構造体であって、
前記収納箱構造体ベースは、四隅に組立孔を有し、前記収納箱構造体ベースの前記組立孔の内側両端に、トラックを形成し、前記トラックの内側に、二個の位置制限トラックを形成し、前記トラックは、前後部に、それぞれ、前斜面と後斜面を斜めに設置し、前記位置制限トラックは、前後端で、前停止部と後停止部を形成し、前記前停止部外端は、二個の助滑輪を枢設すると共に、前記収納箱構造体ベース中央と前記二個の助滑輪間に、支承滑輪を枢設し、
前記横板は、上下縁の両端に、それぞれ、上連接柱と下連接部を設置し、前記下連接部を前記収納箱構造体ベースの前記組立孔に挿入し、
前記蓋板は、底面四隅に、接合孔を開設し、且つ、前記蓋板が前記収納箱構造体ベースの上端に設置され、前記接合孔により、前記横板の前記上連接柱に設置され、
前記収納箱は、底面両辺縁に、輪座を設置し、前記輪座はローラーを設置し、前記二輪座の内端に、ブロックを凸設し、前記収納箱は、前記収納箱構造体ベース、前記二横板と前記蓋板で形成されるフレーム中に滑設され、前記ローラーが前記トラックに滑設され、前記ブロックは前記位置制限トラック内に容設されてなり、これにより、前記収納箱の引き出しが更に円滑になり、実用性を増加させることを特徴とする収納箱構造体が提供される。
【０００７】
請求項２の考案によれば、前記助滑輪、前記支承滑輪、及び前記ローラーは、内部にボールベアリングを設置し、これにより、抵抗を減少させることを特徴とする請求項１に記載の収納箱構造体が提供される。  
【０００８】
請求項３の考案によれば、前記収納箱構造体ベースの前記組立孔底部に、固定孔を凹設することを特徴とする請求項１に記載の収納箱構造体が提供される。
【０００９】
請求項４の考案によれば、前記固定孔に、固定部を挿設し、前記固定部により前記収納箱構造体ベースの支脚を形成することを特徴とする請求項３に記載の収納箱構造体が提供される。  
【００１０】
請求項５の考案によれば、前記横板の前記上連接柱は、前記収納箱構造体ベースの前記固定孔に結合されて、前記横板の両端に、前記収納箱構造体ベースが設置され、別の横板、収納箱と蓋板の組み合わせにより、複数の収納箱の積層形態が形成されることを特徴とする請求項３に記載の収納箱構造体が提供される。
【考案の効果】
【００１１】
本考案は、収納箱底部と構造体ベースの構造の改良により、収納箱の取り出しが更に円滑になり、収納箱構造体の実用性を増加させることができる。
【考案を実施するための最良の形態】
【００１２】
以下、本考案について図面に基づいて具体的に説明する。
もっとも、本考案は、これらの図面等により、何ら限定されるものではない。
【００１３】
図１〜図３に示すように、本考案に係る収納箱構造体は、構造体ベース１０、横板２０、蓋板３０、及び収納箱４０からなる。
【００１４】
構造体ベース１０は、四隅に組立孔１１を有し、構造体ベース１０の組立孔１１の内側の両端に、トラック１２を形成する。トラック１２の内側に、二個の位置制限トラック１３を形成し、トラック１２は、前後部に、それぞれ、前斜面１２１と後斜面１２２を斜めに設置する。位置制限トラック１３は、前後端で、前停止部１３1と後停止部１３２を形成し、前停止部１３１の外端は、二個の助滑輪１４を枢設すると共に、構造体ベース１０中央と二助滑輪１４間に、支承滑輪１５を枢設する。
【００１５】
二個の横板２０は、上下縁の両端に、それぞれ、上連接柱２１と下連接部２２を設置し、下連接部２２を構造体ベース１０の組立孔１１に挿入する。
【００１６】
蓋板３０は、底面の四隅に、接合孔３１を開設し、且つ、蓋板３０が構造体ベース１０の上端に設置され、接合孔３１により、横板２０の上連接柱２１に設置される。
収納箱４０は、底面両辺縁に、輪座４１を設置し、輪座４１にはローラー４２を設置し、二個の輪座４１の内端に、ブロック４３を凸設する。
【００１７】
収納箱４０は、構造体ベース１０、二個の横板２０と蓋板３０で形成されるフレーム中に滑設され、ローラー４２がトラック１２に滑設され、ブロック４３は位置制限トラック１３内に容設され、これにより、収納箱４０の引き出しが更に円滑になり、実用性が増加する。
【００１８】
その組み合わせは、図２〜図４で示され、構造体ベース１０の位置制限トラック１３の前停止部１３1前端は、助滑輪１４を枢設すると共に、二助滑輪１４の間に、承滑輪１５を枢設する。又、構造体ベース１０の組立孔１１位置に、横板２０を有する下連接部２２を設置し、横板２０が構造体ベース１０の兩側辺に垂直に設置され、トラック１２と平行状になる。この時、横板２０の上連接柱２１は上向けに凸設され、蓋板３０を構造体ベース１０の上端に蓋設し、且つ、蓋板３０の接合孔３１が横板２０の上連接柱２１に設置され、構造体ベース１０、二横板２０と蓋板３０により形成される方形の中空フレームを利用して、収納箱４０をフレーム内に滑設し、且つ、収納箱４０のローラー４２は、トラック１２に滑設され、ブロック４３が位置制限トラック１３中に容設され、組み立てが完成する。
【００１９】
本考案に係る収納箱構造体の実際の使用状況が、図２、図４、及び、図５で示される。収納箱４０のブロック４３が構造体ベース１０のトラック１２に容設され、収納箱４０が位置制限トラック１３に沿って停止部１３２に移動して、完全に閉鎖した状態になると、収納箱４０のブロック４３が後停止部１３２に接触して、完全閉鎖状態下の位置制限を形成する。また、収納箱４０が取り出されて、完全開放状態の時、ブロック４３が前停止部１３１に接触し、収納箱４０の完全開放時の位置制限を形成する。これにより、収納箱４０が脱落する可能性をなくし、使用者が構造体ベース１０から収納箱４０を取り出す時、収納箱４０のブロック４３箇所を高くすると、取り出すことが出来る。
【００２０】
図２、図４、及び図６のように、トラック１２から見た収納箱４０の開閉変化は、収納箱４０が閉鎖状態で、構造体ベース１０端に移動する時、収納箱４０のローラー４２がトラック１２上で回転し、この時、ローラー４２がトラック１２の後斜面１２２に接触し、ローラー４２が後斜面１２２に沿って滑入し、収納箱４０の自動閉鎖機能を達成する。反対に、収納箱４０の開放移動時、ローラー４２はトラック１２の前斜面１２１に向かって滑出し、開放補助の效果を達成する。
【００２１】
更に詳述すると、構造体ベース１０の助滑輪１４と支承滑輪１５は収納箱４０の底部に設置され、且つ、助滑輪１４、支承滑輪１５とローラー４２は内部にボールベアリングを設置し、これにより、抵抗力を減少させ、収納箱４０を引き出す時の円滑度を増加させる。また、支承滑輪１５で収納箱４０の中央を支承することにより、収納箱４０に過重の物品を放置することにより生じる下垂を防止し、収納箱４０使用上の便利さを増加させることができる。
【００２２】
本考案のもう一つの使用形態は、図２と図７を参照し、構造体ベース１０の組立孔１１の底部に固定孔１６を凹設し、且つ、固定孔１６に固定部１７を挿設して、固定部１７により構造体ベース１０の支脚を形成する。この固定部１７が、構造体ベース１０の下層として使用される時、横板２０の上連接柱２１が構造体ベース１０′の固定孔１６′に結合されて、横板２０の両端に、構造体ベース１０、１０′が設置され、別の横板２０′、収納箱４０′と蓋板３０の組み合わせにより、複数の収納箱４０、４０′の堆積形態が形成される。
【００２３】
本考案では好ましい実施例を前述の通り開示したが、これらは決して本考案に限定するものではない。
【図面の簡単な説明】
【００２４】
【図１】本考案の一実施形態による収納箱構造体の斜視図である。
【図２】本考案の一実施形態による収納箱構造体の分解斜視図である。
【図３】本考案の一実施形態による収納箱構造体の構造体ベースの局部拡大図である。
【図４】本考案の一実施形態による収納箱構造体の下部構造の説明図である。
【図５】図４のＡ−Ａ断面の作動図である。
【図６】図４のＢ−Ｂ断面の作動図である。
【図７】本考案の他の実施形態による収納箱構造体の使用状態の分解斜視図である。
【符号の説明】
【００２５】
１            収納箱構造体
１０、１０′  収納箱構造体ベース
１１          組立孔
１２          トラック
１３          位置制限トラック
１２１        前斜面
１２２        後斜面
１３１        前停止部
１３２        後停止部
１４          助滑輪
１５          支承滑輪
１６、１６′  固定孔
１７          固定部
２０、２０′  横板
２１          上連接柱
２２          下連接部
３０          蓋板
３１          接合孔 
４０、４０′  収納箱
４１          輪座
４２          ローラー
４３          ブロック
【図１】
0003161148.tif 000003
【図２】
0003161148.tif 000004
【図３】
0003161148.tif 000005
【図４】
0003161148.tif 000006
【図５】
0003161148.tif 000007
【図６】
0003161148.tif 000008
【図７】
0003161148.tif 000009